(57)【要約】【課題】明るさの改善（向上）や駆動電圧の改善（低駆動電圧）が可能な液晶表示装置及び電子機器を提供する。【解決手段】液晶表示装置２は、液晶層ＬＣを挟持する第１及び第２基板ＡＲ，ＣＦと、第１基板ＡＲの液晶層ＬＣ側に形成され、線状部１０ａを有する第１電極１０と、第１電極１０の線状部１０ａと平面的に間隔を隔てて隣り合って第１電極１０の線状部１０ａに沿って形成された線状部４８ａを有する第２電極４８と、第２基板ＣＦの液晶層ＬＣ側に形成され、第２電極４８の線状部４８ａと平面的に重なり合う線状部６０ａを有する第３電極６０と、を備え、第１電極１０は、第２電極４８との間、及び第３電極６０との間でそれぞれ異なる方向の電界を生じさせる。【選択図】図３
2010096797.tif 000002
【特許請求の範囲】
【請求項１】
液晶層を挟持する第１及び第２基板と、
前記第１基板の前記液晶層側に形成され、線状部を有する第１電極と、
該第１電極の線状部と平面的に間隔を隔てて隣り合って該第１電極の線状部に沿って形成された線状部を有する第２電極と、
前記第２基板の前記液晶層側に形成され、前記第２電極の線状部と平面的に重なり合う線状部を有する第３電極と、
を備え、
前記第１電極は、前記第２電極との間、及び前記第３電極との間でそれぞれ異なる方向の電界を生じさせることを特徴とする液晶表示装置。
【請求項２】
請求項１に記載の液晶表示装置において、
前記第３電極は、透明導電性材料で形成されていることを特徴とする液晶表示装置。
【請求項３】
請求項１又は２に記載の液晶表示装置において、
前記第３電極の電位は、前記第２電極の電位、前記第１電極の電圧と前記第２電極の電圧との間の中間電位、固定電位、或いは電位的にフローティング状態の少なくとも一つであることを特徴とする液晶表示装置。
【請求項４】
請求項１〜３のいずれか一項に記載の液晶表示装置において、
前記第３電極の線状部は、前記第１基板に形成された走査線又は信号線に沿って長手方向を有していることを特徴とする液晶表示装置。
【請求項５】
請求項１〜４のいずれか一項に記載の液晶表示装置において、
前記第１電極及び前記第２電極より前記第１基板側に絶縁膜を介して形成されている線状部を有する第４電極と、
前記第４電極の線状部と平面的に間隔を隔てて隣り合って該第４電極の線状部に沿って形成された線状部を有する第５電極と、
を更に含み、
前記第１電極は、前記第４電極及び前記第５電極の一方と、前記第２電極は、前記第４電極及び前記第５電極の他方と、それぞれ平面的に線状部が重なり合うように形成されており、
前記第１電極は、前記第４電極及び前記第５電極の他方と、前記第２電極は、前記第４電極及び前記第５電極の一方と、それぞれ電気的に接続されていることを特徴とする液晶表示装置。
【請求項６】
請求項５に記載の液晶表示装置において、
前記第４電極の線状部及び前記第５電極の線状部は、幅がそれぞれ前記第１電極の線状部及び前記第２電極の線状部よりも太くされていることを特徴とする液晶表示装置。
【請求項７】
請求項５に記載の液晶表示装置において、
前記第４電極の線状部及び前記第５電極の線状部は、幅がそれぞれ前記第１電極の線状部及び前記第２電極の線状部と同一とされていることを特徴とする液晶表示装置。
【請求項８】
請求項１〜７のいずれか一項に記載の液晶表示装置を表示部に搭載したことを特徴とする電子機器。
【発明の詳細な説明】
【技術分野】
【０００１】
本発明は、液晶表示装置及び電子機器に関するものである。
【背景技術】
【０００２】
液晶表示装置としては、ＴＮ（Twisted Nematic）モード、ＶＡ（Vertical Alignment）モード、ＭＶＡ（Multi-domain Vertical Alignment）モード等の縦電界方式のものが多く使用されているが、一方の基板にのみ電極を備えた横電界方式の液晶表示装置も知られている、この横電界方式の液晶表示装置のうち、ＩＰＳモードの液晶表示装置の動作原理を図１５及び図１６を用いて説明する（例えば、特許文献１参照）。
【０００３】
図１５は、従来例のＩＰＳモードの液晶表示装置１５０のカラーフィルタ基板ＣＦを透視して表した１画素分の模式平面図である。図１６は、図１５のXVI−XVI'線に沿った断面図である。
【０００４】
このＩＰＳモードの液晶表示装置１５０は、アレイ基板ＡＲとカラーフィルタ基板ＣＦとを備えている。アレイ基板ＡＲは、第１透明基板１５２の表面にそれぞれ平行に複数の走査線１５４及びコモン配線１５６が設けられ、これら走査線１５４及びコモン配線１５６に交差する方向に複数の信号線１５８が設けられている。そして、各画素の中央部にコモン配線１５６から帯状に、例えば櫛歯状の対向電極（「共通電極」ともいわれる）１６０が設けられ、この対向電極１６０の周囲を挟むように同じく櫛歯状の画素電極１６２が設けられている。そして、この対向電極１６０及び画素電極１６２の表面は例えば窒化硅素からなる保護絶縁膜１６４及びポリイミド等からなる配向膜１６６によって被覆されている。
【０００５】
又、走査線１５４と信号線１５８との交差点近傍にはスイッチング素子としてのＴＦＴ（Thin Film Transistor：薄膜トランジスタ）が形成されている。このＴＦＴは、走査線１５４と信号線１５８との間に半導体層１６８が配置され、半導体層１６８上の信号線部分がＴＦＴのソース電極Ｓを構成し、半導体層１６８の下部の走査線１５４部分がゲート電極Ｇを構成し、又、半導体層１６８の一部分と重なり合う導電性層がドレイン電極Ｄを構成しており、このドレイン電極Ｄは画素電極１６２に接続されている。
【０００６】
又、カラーフィルタ基板ＣＦは、第２透明基板１７０の表面にカラーフィルタ層１７２、オーバーコート層１７４、及び配向膜１７６が設けられた構成を有している。そして、アレイ基板ＡＲの画素電極１６２及び対向電極１６０とカラーフィルタ基板ＣＦのカラーフィルタ層１７２側とが互いに対向するようにアレイ基板ＡＲ及びカラーフィルタ基板ＣＦを対向させる。次いで、アレイ基板ＡＲとカラーフィルタ基板ＣＦとの間に液晶ＬＣを封入すると共に、両基板のそれぞれ外側に偏光板１７８及び１８０を偏光方向が互いに交差する方向となるように配置することにより、ＩＰＳモードの液晶表示装置１５０が形成される。
【０００７】
このＩＰＳモードの液晶表示装置１５０は、図１６に示したように、画素電極１６２と対向電極１６０との間に電界を生じさせると、水平方向に配向していた液晶が水平方向に旋回することによりバックライトからの入射光の透過量を制御することができる。
【０００８】
次に、ＦＦＳモードの液晶表示装置の動作原理を図１７及び図１８を用いて説明する（例えば、特許文献２参照）。
【０００９】
図１７は、従来例のＦＦＳモードの液晶表示装置１９０のカラーフィルタ基板ＣＦを透視して表した１画素分の模式平面図である。図１８は、図１７のXVIII−XVIII'線に沿った断面図である。
【００１０】
このＦＦＳモードの液晶表示装置１９０は、アレイ基板ＡＲとカラーフィルタ基板ＣＦとを備えている。アレイ基板ＡＲは、第１透明基板１９２の表面にそれぞれ平行に複数の走査線１９４及びコモン配線１９６が設けられ、これら走査線１９４及びコモン配線１９６に交差する方向に複数の信号線１９８が設けられている。そして、走査線１９４及び信号線１９８で区画された領域のそれぞれを覆うようにコモン配線１９６に接続されたＩＴＯ（Indium Tin Oxide）やＩＺＯ（Indium Zinc Oxide）等からなる透明材料で形成された対向電極２００が設けられている。この対向電極２００の表面に絶縁膜２０２を介してストライプ状に複数のスリット２０４が形成されたＩＴＯ等の透明材料からなる画素電極２０６が設けられている。そして、この画素電極２０６及び複数のスリット２０４部の表面は配向膜２０８により被覆されている。
【００１１】
そして、走査線１９４と信号線１９８との交差位置の近傍にはスイッチング素子としてのＴＦＴが形成されている。このＴＦＴは、走査線１９４の表面に半導体層２１０が配置され、半導体層２１０の表面の一部を覆うように信号線１９８の一部が延在されてソース電極Ｓを構成し、半導体層２１０の下部の走査線部分がゲート電極Ｇを構成し、又、半導体層２１０の一部分と重なり合う導電性層がドレイン電極Ｄを構成しており、このドレイン電極Ｄは画素電極２０６に接続されている。
【００１２】
又、カラーフィルタ基板ＣＦは、第２透明基板２１２の表面にカラーフィルタ層２１４、オーバーコート層２１６、及び配向膜２１８が設けられた構成を有している。そして、アレイ基板ＡＲの画素電極２０６及び対向電極２００と、カラーフィルタ基板ＣＦのカラーフィルタ層２１４とが互いに対向するように、アレイ基板ＡＲ及びカラーフィルタ基板ＣＦを対向させる。次いで、アレイ基板ＡＲとカラーフィルタ基板ＣＦとの間に液晶ＬＣを封入すると共に、両基板のそれぞれ外側に偏光板２２０及び２２２を偏光方向が互いに直交する方向となるように配置することにより、ＦＦＳモードの液晶表示装置１９０が形成される。
【００１３】
このＦＦＳモードの液晶表示装置１９０は、画素電極２０６と対向電極２００との間に電界を生じさせると、図１８に示したように、この電界は画素電極２０６の両側で対向電極２００に向かう。そのため、スリット２０４に存在する液晶だけでなく画素電極２０６上に存在する液晶も動くことができる。
【００１４】
【特許文献１】特開２００３−１４０１８８号公報
【特許文献２】特開２００１−５６４７６号公報
【発明の開示】
【発明が解決しようとする課題】
【００１５】
しかしながら、ＩＰＳモードの液晶表示装置１５０では、電界強度の強弱により電極上の液晶分子はツイストしにくく表示の明るさを落とす原因となっていた。又、ＦＦＳモードの液晶表示装置１９０では、電界強度の強弱により電極間や電極上の液晶分子はツイストしにくく表示の明るさを落とす原因となっていた。
【課題を解決するための手段】
【００１６】
本発明は、上述の課題の少なくとも一部を解決するためになされたものであり、以下の形態又は適用例として実現することが可能である。
【００１７】
［適用例１］液晶層を挟持する第１及び第２基板と、前記第１基板の前記液晶層側に形成され、線状部を有する第１電極と、該第１電極の線状部と平面的に間隔を隔てて隣り合って該第１電極の線状部に沿って形成された線状部を有する第２電極と、前記第２基板の前記液晶層側に形成され、前記第２電極の線状部と平面的に重なり合う線状部を有する第３電極と、を備え、前記第１電極は、前記第２電極との間、及び前記第３電極との間でそれぞれ異なる方向の電界を生じさせることを特徴とする液晶表示装置。
【００１８】
これによれば、第１電極及び第２電極の線状部は、平面的に間隔を隔てて隣り合って形成されており、ＩＰＳモードの液晶表示装置の画素電極及び対向電極に対応する。尚、本発明における「平行」とは、交差していなければ必ずしも完全に平行でなくてもよく、「く」字状ないしジグザグ状のもの等も含む意味で用いられている。
【００１９】
そして、第２電極の線状部は第３電極の線状部と、平面的に重なり合うように形成されており、しかも、第１電極と第３電極との間には、電界を生じさせる。そのため、第１電極の線状部と第２電極の線状部との間の横電界に加え、第１電極の線状部と第３電極の線状部との間の電界により液晶分子を動かすことができ、駆動電圧を上げることなく明るく表示することが可能となる。このように、明るさの改善（向上）や駆動電圧の改善（低駆動電圧）が可能な液晶表示装置を提供する。
【００２０】
［適用例２］上記液晶表示装置であって、前記第３電極は、透明導電性材料で形成されていることを特徴とする液晶表示装置。
【００２１】
これによれば、第３電極が透明導電性材料で形成されているため、特に第３電極によってバックライトからの光が遮光されることがなくなるので、明るい表示の液晶表示装置が得られる。又、第１電極及び第２電極は、従来のＩＰＳモードの液晶表示装置のように金属材料で形成をすることもができるが、輝度上昇という点から透明導電性材料にした方がよい。尚、透明導電性材料としては、ＩＴＯないしＩＺＯ等の周知のものを使用し得る。
【００２２】
［適用例３］上記液晶表示装置であって、前記第３電極の電位は、前記第２電極の電位、前記第１電極の電圧と前記第２電極の電圧との間の中間電位、固定電位、或いは電位的にフローティング状態の少なくとも一つであることを特徴とする液晶表示装置。
【００２３】
これによれば、第３電極の電位を規定の電位にすることで、第３電極の線状部が液晶の配向を乱すことを防止することができる。
【００２４】
［適用例４］上記液晶表示装置であって、前記第３電極の線状部は、前記第１基板に形成された走査線又は信号線に沿って長手方向を有していることを特徴とする液晶表示装置。
【００２５】
これによれば、スイッチング素子の近傍等においても有効に第３電極を形成することができるため、無駄なく開口率を大きくすることができるようになる。
【００２６】
［適用例５］上記液晶表示装置であって、前記第１電極及び前記第２電極より前記第１基板側に絶縁膜を介して形成されている線状部を有する第４電極と、前記第４電極の線状部と平面的に間隔を隔てて隣り合って該第４電極の線状部に沿って形成された線状部を有する第５電極と、を更に含み、前記第１電極は、前記第４電極及び前記第５電極の一方と、前記第２電極は、前記第４電極及び前記第５電極の他方と、それぞれ平面的に線状部が重なり合うように形成されており、前記第１電極は、前記第４電極及び前記第５電極の他方と、前記第２電極は、前記第４電極及び前記第５電極の一方と、それぞれ電気的に接続されていることを特徴とする液晶表示装置。
【００２７】
これによれば、第１電極は第４電極及び第５電極の一方と、第２電極は第４電極及び第５電極の他方と、それぞれ平面的に線状部が重なり合うように形成されており、しかも、第４電極は第１電極及び第２電極の他方と、第５電極は第１電極及び第２電極の一方と、それぞれ電気的に接続されている。そのため、絶縁膜を介して平面的に重なり合う２組の電極対は互いにＦＦＳモードの液晶表示装置の場合と同様の配置関係になり、同一平面で隣り合う電極対はＩＰＳモードの液晶表示装置の場合と同様の配置関係になる。
【００２８】
そうすると、平面的に絶縁膜を介して重なり合う２組の電極対のそれぞれで容量が形成され、しかもこれらの容量が並列に接続された状態となる。そのため、結果的に従来例のＦＦＳモードの液晶表示装置よりも大きな保持容量が形成されるので、フリッカが少ない液晶表示装置が得られる。しかも、全ての電極においてＦＦＳモードによる液晶の駆動ができるようになるので、明るい表示が可能となり、又、電極の対称性についてはＩＰＳモード及びＦＦＳモードの中間の構成となり、直流成分が発生することが低減され、焼き付き現象も改善される。このように、焼き付き現象やフリッカが生じ難く、開口率が大きくて明るい表示が可能なＩＰＳモードの性質を兼ね備えたＦＦＳモードの液晶表示装置となる。
【００２９】
［適用例６］上記液晶表示装置であって、前記第４電極の線状部及び前記第５電極の線状部は、幅がそれぞれ前記第１電極の線状部及び前記第２電極の線状部よりも太くされていることを特徴とする液晶表示装置。
【００３０】
これによれば、ＦＦＳモードの液晶表示装置の特性が強く出現するので、高い印加電圧が必要となるが、全ての電極において良好なフリンジフィールド効果が発生するため、より明るい表示の液晶表示装置が得られる。しかも、係る態様の液晶表示装置を製造する際には、組ズレに対する許容度が大きくなるので、製造し易くなる。
【００３１】
［適用例７］上記液晶表示装置であって、前記第４電極の線状部及び前記第５電極の線状部は、幅がそれぞれ前記第１電極の線状部及び前記第２電極の線状部と同一とされていることを特徴とする液晶表示装置。
【００３２】
これによれば、製造時のマスクの位置ズレに対する許容度は小さくなるが、印加電圧は低くてすみ、しかも、全ての電極においてフリンジフィールドが発生するため、明るい表示の液晶表示装置が得られる。
【００３３】
［適用例８］上記のいずれか一項に記載の液晶表示装置を表示部に搭載したことを特徴とする電子機器。
【００３４】
これによれば、上記液晶表示装置を表示部に備えることにより、該表示部において高品位な表示を行うことができる。
【発明を実施するための最良の形態】
【００３５】
以下、図面を参照し、液晶表示装置の実施形態について説明する。尚、各実施形態で参照する図面においては、各層や各部材を図面上で認識可能な程度の大きさとするため、各層や各部材毎に縮尺を異ならせて表示している。
【００３６】
（第１の実施形態）
図１は、本実施形態に係る液晶表示装置２を構成するマトリクス状に形成された複数のサブ画素領域の回路構成図である。
【００３７】
本実施形態に係る液晶表示装置２の画像表示領域には、複数のサブ画素領域がマトリクス状に配置されている。各サブ画素領域には、第１電極１０と、その第１電極１０をスイッチング制御するためのＴＦＴ１２とが形成されている。そのＴＦＴ１２のソースには、信号線駆動回路１４から延びる信号線１６が電気的に接続されている。信号線駆動回路１４は、信号線１６を介して画像信号Ｓ１、Ｓ２、‥、Ｓｎを各画素に供給する。画像信号Ｓ１〜Ｓｎは、この順に線順次に供給してもよいし、相隣接する複数の信号線１６同士に対して、グループ毎に供給してもよい。
【００３８】
又、ＴＦＴ１２のゲートには、走査線駆動回路１８から延びる走査線２０が電気的に接続されている。走査線駆動回路１８は、走査線２０に対して所定のタイミングでパルス的に走査信号Ｇ１、Ｇ２、‥、Ｇｍを供給する。走査信号Ｇ１〜Ｇｍは、この順に線順次でＴＦＴ１２のゲートに印加されるようになっている。一方、ＴＦＴ１２のドレインには第１電極１０が電気的に接続されている。そして、走査信号Ｇ１、Ｇ２、‥、Ｇｍの入力によりスイッチング素子であるＴＦＴ１２が一定期間だけオン状態とされることで、信号線１６から供給される画像信号Ｓ１、Ｓ２、‥、Ｓｎが、所定のタイミングで第１電極１０に書き込まれるようになっている。
【００３９】
第１電極１０を介して液晶に書き込まれた所定レベルの画像信号Ｓ１、Ｓ２、‥、Ｓｎは、第１電極１０と共通電極との間に形成される液晶容量で一定期間保持される。ここで、保持された画像信号がリークするのを防ぐため、液晶容量と並列に蓄積容量２２が形成されている。この蓄積容量２２は、ＴＦＴ１２のドレインと容量線２４との間に設けられている。
【００４０】
次に、液晶表示装置２の平面及び断面構成につき、図２〜図４を用いて説明する。
図２は、本実施形態に係る液晶表示装置２のカラーフィルタ基板ＣＦを透視して表した任意の１サブ画素の平面図である。図３は、図２のIII−III'線に沿う部分断面構成図であり、図４は、図２のIV−IV'線に沿う部分断面構成図である。
【００４１】
本実施形態に係る液晶表示装置２のサブ画素領域には、当該サブ画素領域と略同一の平面形状を有するカラーフィルタ層２６が設けられている。又、サブ画素領域の図示右下の角部には、アレイ基板ＡＲとカラーフィルタ基板ＣＦとを所定間隔で離間させて液晶層厚（セルギャップ）を一定に保持するための柱状スペーサ２８が立設されている。
【００４２】
液晶表示装置２は、アレイ基板（第１基板）ＡＲと、カラーフィルタ基板（第２基板）ＣＦとを備えている。アレイ基板ＡＲには、ガラス基板等の第１透明基板３０の表示領域の表面に、マトリクス状に複数の走査線２０及び信号線１６が互いにゲート絶縁膜３２で絶縁された状態で交差するように形成されており、更に、表示領域の周縁部にコモン配線３４が形成されている。これらの走査線２０及び信号線１６で囲まれたそれぞれの領域が各画素（「サブ画素」ともいう）を形成する。又、第１透明基板３０には、画素毎にスイッチング素子として例えばＴＦＴ１２が形成されている。このＴＦＴ１２は、走査線２０の表面に半導体層３６が配置され、半導体層３６の表面の一部を覆うように信号線１６の一部が延在されてソース電極Ｓを構成し、半導体層３６の下部の走査線部分がゲート電極Ｇを構成し、又、半導体層３６の一部分と重なり合う導電性層がドレイン電極Ｄを構成しており、このドレイン電極Ｄは第１電極１０に接続されている。このＴＦＴ１２を含む第１透明基板３０の表面全体に亘って例えば窒化ケイ素層ないし酸化ケイ素層からなるパッシベーション膜３８で被覆されている。
【００４３】
そして、パッシベーション膜３８の表面には、有機材料からなる平坦化膜４０が形成されており、平坦化膜４０の表面には、第１透明基板３０の表面全体に亘って窒化ケイ素層ないし酸化ケイ素層からなる絶縁膜４２が形成されている。この絶縁膜４２、平坦化膜４０、及びパッシベーション膜３８には、ＴＦＴ１２のドレイン電極Ｄに対応する位置に第１コンタクトホール４４が形成されている。そして、絶縁膜４２の表面には、それぞれの画素に第１離間領域４６を挟んで平行に並ぶように（平面的に間隔を隔てて隣り合うように）信号線１６に沿って延びた線状部１０ａ，４８ａをそれぞれ有する第１電極１０及び第２電極４８が形成されている。第１電極１０は、線状部１０ａを複数有し、Ｙ軸方向（信号線１６／信号を供給する配線の延在方向）に長手方向を有している。第２電極４８は、線状部４８ａを複数有し、Ｙ軸方向に長手方向を有している。第１電極１０及び第２電極４８は、開口率を大きくして明るい表示ができるようにするために、ＩＴＯないしＩＺＯ等の透明導電性材料で形成することが好ましいが、アルミニウム等の金属材料で形成することもできる。
【００４４】
そして、第１電極１０は、第１コンタクトホール４４を経てＴＦＴ１２のドレイン電極Ｄに電気的に接続され、第２電極４８は、絶縁膜４２に形成された第２コンタクトホール５０を経てコモン配線３４に電気的に接続されている。従って、液晶表示装置２では、第１電極１０は画素電極として機能し、第２電極４８は対向電極として機能する。
【００４５】
そのため、同一平面で隣り合う第１電極１０の各線状部１０ａと第２電極４８の各線状部４８ａとからなる対は、ＩＰＳモードの液晶表示装置の配置関係になる。尚、第１電極１０及び第２電極４８のうちどちらを画素電極となるようにするかは任意である。しかしながら、同一平面で隣り合う電極対は、互いに画素電極と対向電極との対となるようにする必要がある。
【００４６】
そして、第１電極１０及び第２電極４８の表面を含み表示領域全体に亘って、第１配向膜５２が形成されている。
【００４７】
又、カラーフィルタ基板ＣＦは、ガラス基板等の第２透明基板５４の表面に、アレイ基板ＡＲの走査線２０、信号線１６、第１コンタクトホール４４、第２コンタクトホール５０、及びＴＦＴ１２に対応する位置を被覆するように遮光膜５６が形成されている。更に、遮光膜５６で囲まれた第２透明基板５４の表面には、所定の色のカラーフィルタ層２６が形成されている。又、遮光膜５６及びカラーフィルタ層２６の表面を被覆するようにオーバーコート層５８が形成されている。
【００４８】
そして、オーバーコート層５８上のそれぞれの画素に、ＩＴＯ膜からなるパターニングされた第３電極６０が形成されている。このような構成とすると、オーバーコート層５８の表面に形成される第３電極６０は、例えばカラーフィルタ層２６等の存在による凹凸が均されて平らになるため、セルギャップが均一化される。そのため、係る態様の液晶表示装置２によれば、表示画質が良好な液晶表示装置が得られる。第３電極６０は、線状部６０ａを複数有し、Ｙ軸方向に長手方向を有している。第３電極６０の各線状部６０ａは、平面的において第２電極４８の各線状部４８ａと重なり合うように配置されている。第３電極６０は、第１電極１０の各線状部１０ａと平面的に重なり合うようにスリットが設けられている。このような構成とすると、ＴＦＴ１２の近傍等においても有効に第３電極６０を形成することができるため、無駄なく開口率を大きくすることができるようになる。
【００４９】
第３電極６０の電位は、第２電極４８と同一の電位、第１電極１０と第２電極４８との中間の電位、固定の電位、フローティング状態等の少なくともひとつが与えられる。このような構成とすると、第３電極６０の電位を規定の電位にすることで、第３電極６０の各線状部６０ａが液晶ＬＣの配向を乱すことを防止することができる。又、第３電極６０にパルス状の電位を与えてもよい。このような構成とすると、高速応答化を図ることができる。
【００５０】
かかる第３電極６０は、電位的にフローティング状態とされる場合の他、所定の電位が印加される場合もある。第３電極６０に所定の電位を印加するにあたっては、カラーフィルタ基板ＣＦの液晶ＬＣ側に形成した第３電極６０と、アレイ基板ＡＲに形成した配線（図示略）とを電気的に接続する。これに対して、第３電極６０がフローティング状態とされる場合、かかる基板間の導通を省略する。尚、この第３電極６０は、開口率を大きくして明るい表示ができるようにするためにはＩＴＯないしＩＺＯ等の透明導電性材料で形成することが好ましいが、アルミニウム等の金属材料で形成することもできる。
【００５１】
そして、オーバーコート層５８及び第３電極６０の表面には第２配向膜６４が形成されている。
【００５２】
そして、アレイ基板ＡＲの第２電極４８の各線状部４８ａとカラーフィルタ基板ＣＦの第３電極６０の各線状部６０ａとが互いに対向するように、アレイ基板ＡＲとカラーフィルタ基板ＣＦとが対向され、その間に液晶ＬＣが封入されている。尚、液晶ＬＣの材料としては、誘電率異方性が負の液晶材料、正の液晶材料のいずれを用いてもよいが、誘電率異方性が負の液晶材料を用いる方が好ましい。誘電率異方性が負の液晶材料を用いた場合、選択電圧印加（電圧オン）時の視角を広げ、表示装置の持つ表示特性を損なわないようにすることができるからである。又、液晶の誘電率異方性が負の液晶を用いることで組ズレによる縦電界の影響を小さくすることができ、組ズレに対する許容度を改善することができる。更に、第３電極６０の各線状部６０ａにおいて、組ズレの影響を最小限にするため、組ズレにより電位を与える電極を選択してもよい。又、１画素内で第３電極６０の各線状部６０ａの間隔を任意にずらすことで組ズレの影響を最小限にしてもよい。
【００５３】
そして、アレイ基板ＡＲの外側に第１偏光板６６及びバックライト装置（図示省略）が配置され、カラーフィルタ基板ＣＦの外側に第２偏光板６８が配置されて液晶表示装置２が完成される。尚、各基板ＡＲ，ＣＦと偏光板６６，６８との間に、必要に応じて位相差板を配置してもよい。
【００５４】
次に、液晶表示装置２の動作について説明する。
液晶表示装置２は、第１電極１０が画素電極として機能し、第２電極４８及び第３電極６０が対向電極として作動する。そして、第２電極４８の各線状部４８ａと第３電極６０の各線状部６０ａとが平面的に第１配向膜５２、液晶ＬＣ、及び第２配向膜６４を介して重なり合っている。そのため、液晶表示装置２が作動状態とされると、図３に示したように、第１電極１０の各線状部１０ａと第２電極４８の各線状部４８ａとの間には電界Ｅ１が、第１電極１０の各線状部１０ａと第３電極６０の各線状部６０ａとの間には電界Ｅ２が印加される。
【００５５】
第１電極１０の各線状部１０ａと第３電極６０の各線状部６０ａとの間に印加された電界Ｅ２により液晶分子を動かすことができる。又、第１電極１０の各線状部１０ａと第２電極４８の各線状部４８ａとの間に印加された電界Ｅ１による動作は、図１５及び図１６に示した従来例のＩＰＳモードの液晶表示装置１５０の場合と同様である。従って、液晶表示装置２は、第１電極１０の各線状部１０ａと第２電極４８の各線状部４８ａとの間でＩＰＳモードの液晶表示装置として作動することになる。
【００５６】
（透過率−駆動電圧特性の比較）
図５は、本実施形態に係る液晶表示装置２と従来のＩＰＳ構造の液晶表示装置との透過率Ｔ−駆動電圧Ｖ特性のグラフである。尚、グラフＬ１は液晶表示装置２の透過率Ｔ−駆動電圧Ｖ特性であり、グラフＬ２は従来のＩＰＳモードの液晶表示装置の透過率Ｔ−駆動電圧Ｖ特性である。
【００５７】
この透過率Ｔ−駆動電圧Ｖ特性のグラフＬ１、Ｌ２を比較すると、選択電圧Ｖｓの印加時における光透過率は、従来のＩＰＳモードの液晶表示装置に比べ、液晶表示装置２の方が高くなっている。
【００５８】
本実施形態によれば、第１電極１０の各線状部１０ａと第２電極４８の各線状部４８ａとの間の横電界Ｅ１に加え、第１電極１０の各線状部１０ａと第３電極６０の各線状部６０ａとの間の電界Ｅ２により液晶分子を動かすことができ、駆動電圧を上げることなく明るく表示することが可能となる。結果、アレイ基板ＡＲ側の第１離間領域４６をあまり小さくすることなく透過率の改善が可能となる。このように、明るさの改善（向上）や駆動電圧の改善（低駆動電圧）が可能な液晶表示装置２を提供する。
【００５９】
（第２の実施形態）
次に、第２の実施形態に係る液晶表示装置４を、図６〜図８を用いて説明する。
図６は、本実施形態に係る液晶表示装置４のカラーフィルタ基板ＣＦを透視して表した任意の１サブ画素の平面図である。図７は、図６のVII−VII'線に沿う部分断面構成図であり、図８は、図６のVIII−VIII'線に沿う部分断面構成図である。尚、図６〜図８においては、図２〜図４に示した第１の実施形態の液晶表示装置２と同一の構成部分には同一の参照符号を付与してその詳細な説明は省略する。
【００６０】
本実施形態に係る液晶表示装置４が第１の実施形態の液晶表示装置２と構成が相違する点は、アレイ基板ＡＲ側の第１及び第２電極１０，４８に加えて絶縁膜４２を介して下電極の第４及び第５電極７０，７２を形成した点である。
【００６１】
液晶表示装置４には、平坦化膜４０の表面に、それぞれの画素に第２離間領域７４を挟んで平行に並ぶように信号線１６に沿って延びた線状部７０ａ，７２ａをそれぞれ有する第４電極７０及び第５電極７２が形成されている。第４電極７０は、線状部７０ａを複数有し、Ｙ軸方向に長手方向を有している。第５電極７２は、線状部７２ａを複数有し、Ｙ軸方向に長手方向を有している。これらの一対の第４電極７０及び第５電極７２のうちの一方はアルミニウム等の金属材料からなっていてもよいが、開口率が大きくなるようにするため、少なくとも一方はＩＴＯないしＩＺＯ等の透明導電性材料からなるものとすることが好ましい。
【００６２】
そして、第５電極７２は、第１コンタクトホール４４を経てＴＦＴ１２のドレイン電極Ｄに電気的に接続され、第４電極７０は、コモン配線３４に電気的に接続されている。従って、第５電極７２は画素電極として機能し、第４電極７０は対向電極として機能する。
【００６３】
そして、第４電極７０及び第５電極７２が形成された第１透明基板３０の表面全体に亘って窒化ケイ素層ないし酸化ケイ素層からなる絶縁膜４２が形成されている。この絶縁膜４２の表面には、それぞれの画素に第１離間領域４６を挟んで平行に並ぶように信号線１６に沿って延びた線状部１０ａ，４８ａをそれぞれ有する第１電極１０及び第２電極４８が形成されている。第１電極１０の各線状部１０ａ及び第２電極４８の各線状部４８ａは、それぞれ平面的に第５電極７２の各線状部７２ａ及び第４電極７０の各線状部７０ａと重なり合うように、形成されている。
【００６４】
ここでは、第４電極７０の各線状部７０ａ及び第５電極７２の各線状部７２ａの幅が第１電極１０の各線状部１０ａ及び第２電極４８の各線状部４８ａの幅よりも太くなるように形成されている。このような構成とすると、絶縁膜４２の表面にフォトリソグラフィー法によって第１電極１０及び第２電極４８を形成する際のマスクの位置ズレに対する許容度が大きくなるので、製造が容易となる。尚、第４電極７０の各線状部７０ａ及び第５電極７２の各線状部７２ａの幅が第１電極１０の各線状部１０ａ及び第２電極４８の各線状部４８ａの幅と同一になるように形成されていてもよい。このような構成とすると、製造時のマスクの位置ズレに対する許容度は小さくなるが、印加電圧は低くてもすみ、しかも、全ての電極においてフリンジフィールドが発生するため、明るい表示の液晶表示装置４が得られる。尚、特に第４電極７０の各線状部７０ａ及び第５電極７２の各線状部７２ａの幅を互いに変えること及び第１電極１０の各線状部１０ａ及び第２電極４８の各線状部４８ａの幅を互いに変えることに利点はない。そのため、第４電極７０の各線状部７０ａ及び第５電極７２の各線状部７２ａの幅は互いに実質的に同じとなるようにし、第１電極１０の各線状部１０ａ及び第２電極４８の各線状部４８ａの幅も互いに実質的に同じとなるように形成するとよい。
【００６５】
この第５電極７２は、第１コンタクトホール４４を経て、ＴＦＴ１２のドレイン電極Ｄに電気的に接続されていると共に、第１電極１０とも電気的に接続されている。又、第４電極７０は、第２コンタクトホール５０を経て第２電極４８と電気的に接続されている。
【００６６】
そのため、平面的に重なり合う第１電極１０の各線状部１０ａと第４電極７０の各線状部７０ａとからなる対及び第２電極４８の各線状部４８ａと第５電極７２の各線状部７２ａとからなる対は、互いに図１７及び図１８に示した従来例のＦＦＳモードの液晶表示装置１９０の場合と同様の配置関係になる。又、同一平面で隣り合う第１電極１０の各線状部１０ａと第２電極４８の各線状部４８ａとからなる対及び第４電極７０の各線状部７０ａと第５電極７２の各線状部７２ａとからなる対は、互いに図１５及び図１６に示した従来例のＩＰＳモードの液晶表示装置１５０の場合と同様の配置関係になる。
【００６７】
又、カラーフィルタ基板ＣＦには、遮光膜５６及びカラーフィルタ層２６上にＩＴＯ膜からなる第３電極６０が形成されている。
【００６８】
次に、液晶表示装置４の動作について説明する。
液晶表示装置４は、第１電極１０及び第５電極７２が画素電極として機能し、第２電極４８、第４電極７０、及び第３電極６０が対向電極として作動する。そして、第１電極１０の各線状部１０ａと第４電極７０の各線状部７０ａとが平面的に絶縁膜４２を介して重なり合っており、第２電極４８の各線状部４８ａと第５電極７２の各線状部７２ａとが平面的に絶縁膜４２を介して重なり合っており、第２電極４８の各線状部４８ａと第３電極６０の各線状部６０ａとが平面的に第１配向膜５２、液晶ＬＣ、及び第２配向膜６４を介して重なり合っている。そのため、液晶表示装置４が作動状態とされると、図７に示したように、第１電極１０の各線状部１０ａと第２電極４８の各線状部４８ａとの間に電界Ｅ１が、第１電極１０の各線状部１０ａと第３電極６０の各線状部６０ａとの間には電界Ｅ２が、第１電極１０の各線状部１０ａと第４電極７０の各線状部７０ａとの間には電界Ｅ３が印加される。更に、第５電極７２の各線状部７２ａと第２電極４８の各線状部４８ａとの間には電界Ｅ３とは逆方向の電界Ｅ４が印加される。
【００６９】
第１電極１０の各線状部１０ａと第３電極６０の各線状部６０ａとの間に印加された電界Ｅ２により液晶分子を動かすことができる。又、第１電極１０の各線状部１０ａと第２電極４８の各線状部４８ａとの間に印加された電界Ｅ１による動作は、図１５及び図１６に示した従来例のＩＰＳモードの液晶表示装置の場合と同様である。従って、液晶表示装置４は、第１電極１０の各線状部１０ａと第２電極４８の各線状部４８ａとの間でＩＰＳモードの液晶表示装置として作動することになる。更に、第１電極１０の各線状部１０ａと第４電極７０の各線状部７０ａとの間に印加された電界Ｅ３による動作及び第５電極７２の各線状部７２ａと第２電極４８の各線状部４８ａとの間に印加された電界Ｅ４による動作は、図１７及び図１８に示した従来例のＦＦＳモードの液晶表示装置の場合と同様である。従って、第１電極１０の各線状部１０ａと第４電極７０の各線状部７０ａとの間及び第２電極４８の各線状部４８ａと第５電極７２の各線状部７２ａとの間でＦＦＳモードの液晶表示装置として作動することになる。
【００７０】
（透過率−駆動電圧特性の比較）
図９は、本実施形態に係る液晶表示装置４と従来のＦＦＳ構造の液晶表示装置との透過率Ｔ−駆動電圧Ｖ特性のグラフである。尚、グラフＬ３は液晶表示装置４の透過率Ｔ−駆動電圧Ｖ特性であり、グラフＬ４は従来のＦＦＳモードの液晶表示装置の透過率Ｔ−駆動電圧Ｖ特性である。
【００７１】
この透過率Ｔ−駆動電圧Ｖ特性のグラフＬ３、Ｌ４を比較すると、選択電圧Ｖｓの印加時における光透過率は、従来のＦＦＳモードの液晶表示装置に比べ、液晶表示装置４の方が高くなっている。
【００７２】
本実施形態によれば、第１電極１０の各線状部１０ａは第４電極７０の各線状部７０ａと、第２電極４８の各線状部４８ａは第５電極７２の各線状部７２ａと、それぞれ平面的に重なり合うように形成されており、しかも、第４電極７０は第２電極４８と、第５電極７２は第１電極１０と、それぞれ電気的に接続されている。そのため、絶縁膜４２を介して平面的に重なり合う２組の電極対は互いにＦＦＳモードの液晶表示装置の場合と同様の配置関係になり、同一平面で隣り合う電極対はＩＰＳモードの液晶表示装置の場合と同様の配置関係になる。
【００７３】
そうすると、平面的に絶縁膜４２を介して重なり合う２組の電極対のそれぞれで容量が形成され、しかもこれらの容量が並列に接続された状態となる。そのため、結果的に従来例のＦＦＳモードの液晶表示装置よりも大きな保持容量が形成されるので、フリッカが少ない液晶表示装置４が得られる。しかも、全ての電極においてＦＦＳモードによる液晶の駆動ができるようになるので、明るい表示が可能となり、又、電極の対称性についてはＩＰＳモード及びＦＦＳモードの中間の構成となり、直流成分が発生することが低減され、焼き付き現象も改善される。このように、焼き付き現象やフリッカが生じ難く、開口率が大きくて明るい表示が可能なＩＰＳモードの性質を兼ね備えたＦＦＳモードの液晶表示装置４となる。
【００７４】
（第３の実施形態）
次に、第３の実施形態に係る液晶表示装置６を、図１０を用いて説明する。
図１０は、本実施形態に係る液晶表示装置６のカラーフィルタ基板ＣＦを透視して表した任意の１サブ画素の平面図である。尚、図１０においては、図６に示した第２の実施形態の液晶表示装置４と同一の構成部分には同一の参照符号を付与してその詳細な説明は省略する。又、図１０における図６のVII−VII'線及びVIII−VIII'線に対応する部分の断面図は、それぞれ図７及び図８と同様であるので、図示及びその詳細な説明は省略した。
【００７５】
本実施形態に係る液晶表示装置６が第２の実施形態の液晶表示装置４と構成が相違する点は、第２の実施形態の液晶表示装置４では、第１電極１０の各線状部１０ａ及び第２電極４８の各線状部４８ａがそれぞれ信号線１６に沿ってまっすぐ伸びているが、本実施形態の液晶表示装置６では、第１電極１０の各線状部１０ａ、第２電極４８の各線状部４８ａ、第４電極７０の各線状部７０ａ、及び第５電極７２の各線状部７２ａの中央が屈曲されるように形成されている点である。又、平面的において第２電極４８の各線状部４８ａと重なり合うように配置される第３電極６０の各線状部６０ａも中央を屈曲されるように形成した点である。
【００７６】
液晶表示装置６では、第１〜第５電極１０，４８，６０，７０，７２の各線状部１０ａ，４８ａ，６０ａ，７０ａ，７２ａが画素の中央を境にして、「くの字状」に配置される、いわゆるデュアルドメイン化されたものであり、液晶分子の回転方向は、画素の中央を境にして、紙面手前側からみて上半分の領域における液晶分子の回転方向と、紙面手前側からみて下半分の領域における液晶分子の回転方向とは、互いに逆向きとなる。
【００７７】
本実施形態によれば、デュアルドメイン化された電極構造を設けることにより、視野角によって黄色味や青色味を呈する等といったカラーシフトを抑制することが可能になる。
【００７８】
（第４の実施形態）
次に、第４の実施形態に係る液晶表示装置８を、図１１〜図１３を用いて説明する。
図１１は、本実施形態に係る液晶表示装置８のカラーフィルタ基板ＣＦを透視して表した任意の１サブ画素の平面図である。図１２は、図１１のXII−XII'線に沿う部分断面構成図であり、図１３は、図１１のXIII−XIII'線に沿う部分断面構成図である。尚、図１１〜図１３においては、図１０、図７、及び図８に示した第３の実施形態の液晶表示装置６と同一の構成部分には同一の参照符号を付与してその詳細な説明は省略する。
【００７９】
本実施形態に係る液晶表示装置８が第３の実施形態の液晶表示装置６と構成が相違する点は、第３の実施形態の液晶表示装置６の構成に加えてカラーフィルタ基板ＣＦ側に第３電極６０と異なる電位を与える第６電極７８が形成されている点である。
【００８０】
液晶表示装置８には、オーバーコート層５８上に、それぞれの画素にＩＴＯ膜からなるパターニングされた第６電極７８が形成されている。第６電極７８は、線状部７８ａを複数有し、Ｙ軸方向に長手方向を有している。第６電極７８の各線状部７８ａは、第３電極６０の各線状部６０ａと第３離間領域８０を挟んで平行に並ぶように信号線１６に沿って延びている。第６電極７８の各線状部７８ａは、平面的において第１電極１０の各線状部１０ａと重なり合うように配置されている。第６電極７８は、第２電極４８の各線状部４８ａと平面的に重なり合うようにスリットが設けられている。
【００８１】
第６電極７８の電位は、第１電極１０と同一の電位、第１電極１０と第２電極４８との中間の電位、固定の電位、フローティング状態等の少なくともひとつが与えられる。このような構成とすると、第６電極７８の電位を規定の電位にすることで、第６電極７８の各線状部７８ａが液晶ＬＣの配向を乱すことを防止することができる。又、第６電極７８にパルス状の電位を与えてもよい。このような構成とすると、高速応答化を図ることができる。
【００８２】
かかる第６電極７８は、電位的にフローティング状態とされる場合の他、所定の電位が印加される場合もある。第６電極７８に所定の電位を印加するにあたっては、カラーフィルタ基板ＣＦの液晶ＬＣ側に形成した第６電極７８と、アレイ基板ＡＲに形成した配線（図示略）とを電気的に接続する。これに対して、第６電極７８がフローティング状態とされる場合、かかる基板間の導通を省略する。尚、この第６電極７８は、開口率を大きくして明るい表示ができるようにするためにはＩＴＯないしＩＺＯ等の透明導電性材料で形成することが好ましいが、アルミニウム等の金属材料で形成することもできる。又、第６電極７８の各線状部７８ａにおいて、組ズレの影響を最小限にするため、組ズレにより電位を与える電極を選択してもよい。又、１画素内で第６電極７８の各線状部７８ａの間隔を任意にずらすことで組ズレの影響を最小限にしてもよい。
【００８３】
そして、オーバーコート層５８、第３電極６０、及び第６電極７８の表面には第２配向膜６４が形成されている。
【００８４】
そして、アレイ基板ＡＲの第１電極１０の各線状部１０ａ及び第２電極４８の各線状部４８ａと、カラーフィルタ基板ＣＦの第６電極７８の各線状部７８ａ及び第３電極６０の各線状部６０ａとが、それぞれ互いに対向するように、アレイ基板ＡＲとカラーフィルタ基板ＣＦが対向され、その間に液晶ＬＣが封入されている。
【００８５】
次に、液晶表示装置８の動作について説明する。
この液晶表示装置８は、第１電極１０、第５電極７２、及び第６電極７８が画素電極として機能し、第２電極４８、第４電極７０、及び第３電極６０が対向電極として作動する。そして、第１電極１０の各線状部１０ａと第４電極７０の各線状部７０ａとが平面的に絶縁膜４２を介して重なり合っており、第２電極４８の各線状部４８ａと第５電極７２の各線状部７２ａとが平面的に絶縁膜４２を介して重なり合っており、第１電極１０の各線状部１０ａと第６電極７８の各線状部７８ａとが平面的に第１配向膜５２、液晶ＬＣ、及び第２配向膜６４を介して重なり合っており、第２電極４８の各線状部４８ａと第３電極６０の各線状部６０ａとが平面的に第１配向膜５２、液晶ＬＣ、及び第２配向膜６４を介して重なり合っている。そのため、液晶表示装置８が作動状態とされると、図１２に示したように、第１電極１０の各線状部１０ａと第２電極４８の各線状部４８ａとの間には電界Ｅ１が、第１電極１０の各線状部１０ａと第３電極６０の各線状部６０ａとの間には電界Ｅ２が、第１電極１０の各線状部１０ａと第４電極７０の各線状部７０ａとの間には電界Ｅ３が、第５電極７２の各線状部７２ａと第２電極４８の各線状部４８ａとの間には電界Ｅ３とは逆方向の電界Ｅ４が、第３電極６０の各線状部６０ａと第６電極７８の各線状部７８ａとの間には電界Ｅ５が印加される。更に、第６電極７８の各線状部７８ａと第２電極４８の各線状部４８ａとの間には電界Ｅ２とは逆方向の電界Ｅ６が印加される。
【００８６】
第１電極１０の各線状部１０ａと第３電極６０の各線状部６０ａとの間に印加された電界Ｅ２により液晶分子を動かすことができる。又、第６電極７８の各線状部７８ａと第２電極４８の各線状部４８ａとの間に印加された電界Ｅ６により液晶分子を動かすことができる。又、第１電極１０の各線状部１０ａと第２電極４８の各線状部４８ａとの間に印加された電界Ｅ１による動作及び第６電極７８の各線状部７８ａと第３電極６０の各線状部６０ａとの間に印加された電界Ｅ５による動作は、図１５及び図１６に示した従来例のＩＰＳモードの液晶表示装置の場合と同様である。従って、液晶表示装置８は、第１電極１０の各線状部１０ａと第２電極４８の各線状部４８ａとの間及び第６電極７８の各線状部７８ａと第３電極６０の各線状部６０ａとの間でＩＰＳモードの液晶表示装置として作動することになる。更に、第１電極１０の各線状部１０ａと第４電極７０の各線状部７０ａとの間に印加された電界Ｅ３による動作及び第５電極７２の各線状部７２ａと第２電極４８の各線状部４８ａとの間に印加された電界Ｅ４による動作は、図１７及び図１８に示した従来例のＦＦＳモードの液晶表示装置の場合と同様である。従って、第１電極１０の各線状部１０ａと第４電極７０の各線状部７０ａとの間及び第２電極４８の各線状部４８ａと第５電極７２の各線状部７２ａとの間でＦＦＳモードの液晶表示装置として作動することになる。
【００８７】
本実施形態によれば、カラーフィルタ基板ＣＦ側の第３電極６０の各線状部６０ａと第６電極７８の各線状部７８ａとの間の電界Ｅ５及び第６電極７８の各線状部７８ａと第２電極４８の各線状部４８ａとの間の電界Ｅ６により液晶分子を動かすことができ、更に駆動電圧を上げることなく明るく表示することが可能となる。
【００８８】
（電子機器）
次に、上記した液晶表示装置を備える電子機器について説明する。
図１４は、本実施形態に係る液晶表示装置を表示部に搭載した電子機器の一例である携帯電話１００の斜視図である。
【００８９】
本実施形態に係る携帯電話１００は、上記実施形態の液晶表示装置を小サイズの表示部１０２として備え、複数の操作ボタン１０４、受話口１０６、及び送話口１０８を備えて構成されている。携帯電話１００は、前述した実施形態の液晶表示装置を備えているので、表示品質に優れた電子機器を提供することができる。
【００９０】
尚、上記実施形態の液晶表示装置は、上記携帯電話に限らず、電子ブック、パーソナルコンピュータ、デジタルスチルカメラ、液晶テレビ、ビューファインダ型或いはモニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等々の画像表示手段として好適に用いることができ、いずれの電子機器においても、表示品質に優れた電子機器が提供できる。
【００９１】
以上、実施形態について説明したが、変形例としては、例えば以下のようなものが考えられる。
【００９２】
（変形例１）
上記実施形態の液晶表示装置は、第３電極６０の各線状部６０ａ及び第６電極７８の各線状部７８ａが信号線１６に沿って長手方向を有する例を示したが、走査線２０に沿って長手方向を有するとしても同様の作用効果を奏する。
【００９３】
（変形例２）
上記実施形態の液晶表示装置は、通常カラーフィルタ基板側に用いられるシールド電極がない例を示したが、カラーフィルタ基板側にシールド電極を有してもよい。例えば、通常横電界方式の液晶表示装置ではカラーフィルタ基板側に導電体がないために静電対策としてシールド用電極を設ける必要があるが、本実施形態ではカラーフィルタ基板ＣＦの液晶ＬＣ側に電極を設けるためシールド電極が不要となる。カラーフィルタ基板ＣＦに静電気による帯電が起こりにくくするためのシールド電極が形成されていない場合でも、パターニングされた第３電極６０の各線状部６０ａが形成されているため、カラーフィルタ基板ＣＦは、静電気による帯電が起こりにくく、たとえ帯電しても液晶の配向を乱さない。又、パターニングされた第３電極６０の各線状部６０ａは、カラーフィルタ基板ＣＦの液晶ＬＣ側に形成されているため、液晶パネルを組立てる前の基板の状態でパターニングされた電極を形成することができる。
【００９４】
（変形例３）
上記実施形態の液晶表示装置は、透過型の液晶表示装置であるが、これに限定する趣旨ではなく、例えば反射型又は半透過反射型の液晶表示装置としてもよい。
【図面の簡単な説明】
【００９５】
【図１】第１の実施形態に係る液晶表示装置を構成するマトリクス状に形成された複数のサブ画素領域の回路構成図。
【図２】第１の実施形態に係る液晶表示装置のカラーフィルタ基板を透視して表した任意の１サブ画素の平面図。
【図３】図２のIII−III'線に沿う部分断面構成図。
【図４】図２のIV−IV'線に沿う部分断面構成図。
【図５】第１の実施形態に係る液晶表示装置と従来のＩＰＳ構造とのＴ−Ｖ特性のグラフ。
【図６】第２の実施形態に係る液晶表示装置のカラーフィルタ基板を透視して表した任意の１サブ画素の平面図。
【図７】図６のVII−VII'線に沿う部分断面構成図。
【図８】図６のVIII−VIII'線に沿う部分断面構成図。
【図９】第２の実施形態に係る液晶表示装置と従来のＦＦＳ構造とのＴ−Ｖ特性のグラフ図。
【図１０】第３の実施形態に係る液晶表示装置のカラーフィルタ基板を透視して表した任意の１サブ画素の平面図。
【図１１】第４の実施形態に係る液晶表示装置のカラーフィルタ基板を透視して表した任意の１サブ画素の平面図。
【図１２】図１１のXII−XII'線に沿う部分断面構成図。
【図１３】図１１のXIII−XIII'線に沿う部分断面構成図。
【図１４】本実施形態に係る液晶表示装置を表示部に搭載した電子機器の一例である携帯電話の斜視図。
【図１５】従来例のＩＰＳモードの液晶表示装置のカラーフィルタ基板を透視して表した１画素分の模式平面図。
【図１６】図１５のXVI−XVI'線に沿った断面図。
【図１７】従来例のＦＦＳモードの液晶表示装置のカラーフィルタ基板を透視して表した１画素分の模式平面図。
【図１８】図１７のXVIII−XVIII'線に沿った断面図。
【符号の説明】
【００９６】
２，４，６，８…液晶表示装置  １０…第１電極  １０ａ…線状部  １２…ＴＦＴ  １４…信号線駆動回路  １６…信号線  １８…走査線駆動回路  ２０…走査線  ２２…蓄積容量  ２４…容量線  ２６…カラーフィルタ層  ２８…柱状スペーサ  ３０…第１透明基板  ３２…ゲート絶縁膜  ３４…コモン配線  ３６…半導体層  ３８…パッシベーション膜  ４０…平坦化膜  ４２…絶縁膜  ４４…第１コンタクトホール  ４６…第１離間領域（離間領域）  ４８…第２電極  ４８ａ…線状部  ５０…第２コンタクトホール  ５２…第１配向膜  ５４…第２透明基板  ５６…遮光膜  ５８…オーバーコート層  ６０…第３電極  ６０ａ…線状部  ６４…第２配向膜  ６６…第１偏光板  ６８…第２偏光板  ７０…第４電極  ７０ａ…線状部  ７２…第５電極  ７２ａ…線状部  ７４…第２離間領域    ７８…第６電極  ７８ａ…線状部  ８０…第３離間領域  １００…携帯電話  １０２…表示部  １０４…操作ボタン  １０６…受話口  １０８…送話口。
【図１】
2010096797.tif 000003
【図２】
2010096797.tif 000004
【図３】
2010096797.tif 000005
【図４】
2010096797.tif 000006
【図５】
2010096797.tif 000007
【図６】
2010096797.tif 000008
【図７】
2010096797.tif 000009
【図８】
2010096797.tif 000010
【図９】
2010096797.tif 000011
【図１０】
2010096797.tif 000012
【図１１】
2010096797.tif 000013
【図１２】
2010096797.tif 000014
【図１３】
2010096797.tif 000015
【図１４】
2010096797.tif 000016
【図１５】
2010096797.tif 000017
【図１６】
2010096797.tif 000018
【図１７】
2010096797.tif 000019
【図１８】
2010096797.tif 000020